(57)【要約】【課題】  簡単な構成で簡易に敷設できるルーフドレインとそれに組み込まれるドレイン本体を提供しようとする。【解決手段】  従来の雨水を排水するために建物のコンクリート製の床面に埋め込まれるルーフドレインにかわって、雨水を上面で受ける受皿部と該受皿部の下部に連接し上下方向に貫通する排水穴を設けられた管状の排水管部と前記排水管部を囲んで前記受皿部の下に位置する環状部と前記環状部から内側に向かって突起する突起部とを形成するドレイン本体と、前記排水管部の外周を囲うように配置され内側にコンクリートを充填されない空隙を形成する筒状のスペーサと、を備え、前記排水管部を囲うように下側から前記空隙に挿入した筒状の排水用配管に付加又は加工された部分が前記突起部に係合可能である、ものとした。【選択図】    図１
2008184836.tif 000002
【特許請求の範囲】
【請求項１】
雨水を排水するために建物のコンクリート製の床面に埋め込まれるルーフドレインであって、
雨水を上面で受ける受皿部と該受皿部の下部に連接し上下方向に貫通する排水穴を設けられた管状の排水管部と前記排水管部を囲んで前記受皿部の下に位置する環状部と前記環状部から内側に向かって突起する突起部とを形成するドレイン本体と、
前記排水管部の外周を囲うように配置され内側にコンクリートを充填されない空隙を形成する筒状のスペーサと、
を備え、
前記排水管部を囲うように下側から前記空隙に挿入した筒状の排水用配管に付加又は加工された部分が前記突起部に係合可能である、
ことを特徴とするルーフドレイン。
【請求項２】
前記突起部が前記環状部の内周面から内側へ水平に拡がる扇状部と該扇状部の半径方向に延びる辺から上方に立ち上がる立ち上げ部とを持つ、
ことを特徴とする請求項１に記載のルーフドレイン。
【請求項３】
雨水を排水するために雨水を上面で受ける受皿部と該受皿部の下部に連接し上下方向に貫通する排水穴を設けられた管状の排水管部とを形成するドレイン本体と前記排水管部の外周を囲うように配置され内側にコンクリートを充填されない空隙を形成する筒状のスペーサとに組み合わされて建物のコンクリート製の床面に埋め込まれる部材である係合リングであって、
前記排水管部を囲んで前記受皿部の下に位置する環状部と前記環状部から内側に向かって突起する突起部とを形成する構造を備え、
前記排水管部を囲うように下側から前記空隙に挿入した筒状の排水用配管に付加又は加工された部分が前記突起部に係合可能である、
ことを特徴とする係合リング。
【請求項４】
前記環状部が前記受皿部の下面と前記スペーサの上端面とに挟まれる鍔状部と該鍔状部に連接し前記スペーサの内周面に接触する筒状部とを持ち、
前記突起部が前記筒状部の内周面から内側へ水平に拡がる扇状部と該扇状部の半径方向に延びる辺から上方に立ち上がる立ち上げ部とを持つ、
ことを特徴とする請求項３に記載の係合リング。
【請求項５】
雨水を排水するために建物のコンクリート製の床面に埋め込まれるルーフドレインであって、
雨水を上面で受ける受皿部と該受皿部の下部に連接し上下方向に貫通する排水穴を設けられた管状の排水管部と前記排水管部の外周面から外側へ突起する突起部とを形成するドレイン本体と、
前記排水管部の外周を囲うように配置され内側にコンクリートを充填されない空隙を形成する筒状のスペーサと、
を備え、
前記排水管部を囲うように下側から前記空隙に挿入した筒状の排水用配管に付加又は加工された部分が前記突起部に係合可能である、
ことを特徴とするルーフドレイン。
【請求項６】
前記突起部が前記排水管部の外周面から外側へ水平に拡がる扇状部と該扇状部の半径方向に延びる辺から上方へ立ち上がる立ち上げ部とを持つ、
ことを特徴とする請求項５に記載のルーフドレイン。
【請求項７】
雨水を排水するために筒状のスペーサと組み合わされて建物のコンクリート製の床面に埋め込まれるドレイン本体であって、
雨水を上面で受ける受皿部と該受皿部の下部に連接し上下方向に貫通する排水穴を設けられた管状の排水管部と前記排水管部の外周面から外側へ突起する突起部とを形成する構造を備え、
前記スペーサが前記排水管部の外周を囲うように配置され内側にコンクリートを充填されない空隙を形成し、
前記排水管部を囲うように下側から前記空隙に挿入した筒状の排水用配管に付加又は加工された部分が前記突起部に係合可能である、
ことを特徴とするドレイン本体。
【請求項８】
前記突起部が前記排水管部の外周面から外側へ水平に拡がる扇状部と該扇状部の半径方向に延びる辺から上方へ立ち上がる立ち上げ部とを持つ、
ことを特徴とする請求項７に記載のドレイン本体。
【請求項９】
雨水を排水するために建物のコンクリート製の床面に埋め込まれるルーフドレインであって、
雨水を上面で受ける受皿部と該受皿部の下部に連接し上下に貫通する排水穴を設けられた管状の排水管部と前記排水管部に設けられた窪み部または切り欠き部とを形成するドレイン本体と、
前記排水管部の外周を囲うように配置され内側にコンクリートを充填されない空隙を形成する筒状のスペーサと、
を備え、
前記排水管部を囲うように下側から前記空隙に挿入した筒状の排水用配管に付加又は加工された部分が前記窪み部または切り欠き部に係合可能である、
ことを特徴とするルーフドレイン。
【請求項１０】
前記切り欠き部が前記排水管部の下端部から上方へ延びる直線部と該直線部の上端に繋がる上方へ凸になったＵ字形部とを持つ、
ことを特徴とする請求項９に記載のルーフドレイン。
【請求項１１】
雨水を排水するために筒状のスペーサと組み合わされて建物のコンクリート製の床面に埋め込まれるドレイン本体であって、
雨水を上面で受ける受皿部と該受皿部の下部に連接し上下に貫通する排水穴を設けられた管状の排水管部と前記排水管部に設けられた窪み部または切り欠き部とを形成する構造を備え、
前記スペーサが前記排水管部の外周を囲うように配置され内側にコンクリートを充填されない空隙を形成し、
前記排水管部を囲うように下側から前記空隙に挿入した筒状の排水用配管に付加又は加工された部分が前記窪み部または切り欠き部に係合可能である、
ことを特徴とするドレイン本体。
【請求項１２】
前記切り欠き部が前記排水管部の下端部から上方へ延びる直線部と該直線部の上端に繋がる上方へ凸になったＵ字形部とを持つ、
ことを特徴とする請求項１１に記載のドレイン本体。
【請求項１３】
雨水を排水するために建物のコンクリート製の床面に埋め込まれるルーフドレインであって、
雨水を上面で受ける受皿部と該受皿部の下部に連接し上下方向に貫通する排水穴を設けられた管状の排水管部とを形成するドレイン本体と、
前記排水管部の外周を囲うように配置され内側にコンクリートを充填されない空隙を形成する筒状のスペーサと、
前記排水穴の上面を覆う様に前記受皿部の上部に配置され複数のスリットまたは複数の穴を設けられたストレーナと、
上下方向の寸法を縮めると水平方向の寸法が伸び上下方向の寸法を伸ばすと水平方向の寸法が縮む止め部材と、
前記止め部材と前記ストレーナとに貫通しねじると前記止め部材の上下方向の寸法を変化させるボルトである取付部材と、
を備え、
前記止め部材が水平方向の寸法を伸ばすと前記排水管部の少なくとも２箇所に引っ掛かる、
ことを特徴とするルーフドレイン。
【請求項１４】
前記止め部材が水平方向から見て閉じた輪状又は多角形状になり前記取付部材が上下方向に貫通する一対の貫通穴を設けられた弾性のあるばね部材と前記ばね部材に固着し前記取付部材がねじこまれるねじ部とを持つ、
ことを特徴とする請求項１３に記載のルーフドレイン。
【請求項１５】
雨水を排水するために建物のコンクリート製の床面に埋め込まれるルーフドレインであって、
雨水を上面で受ける受皿部と該受皿部の下部に連接し上下方向に貫通する排水穴を設けられた管状の排水管部とを形成するドレイン本体と、
前記排水管部の外周を囲うように配置され内側にコンクリートを充填されない空隙を形成する筒状のスペーサと、
前記排水穴の上面を覆う様に前記受皿部の上部に配置され複数のスリットまたは複数の穴を設けられたストレーナと、
一方の端部にねじ部が設けられた棒状部材である止め部材と、
前記ストレーナを貫通し前記止め部材のねじ部にねじこまれたボルトである取付部材と、
を備え、
取付部材をねじると前記止め部材の他方の端部が前記排水管部に引っ掛かる、
ことを特徴とするルーフドレイン。
【請求項１６】
雨水を排水するために建物のコンクリート製の床面に埋め込まれるルーフドレインであって、
雨水を受けるために下に凹んだ受皿部と該受皿部の下部に位置し穴を設けられた鍔状部とを形成する部材である上部部材と、中央に穴を設けられた鍔状部を形成する部材である中間部材と、上下方向に貫通する排水穴を設けられた管状の排水管部と該排水管部の上部に位置し穴を設けられた鍔状部とを形成する部材である下部部材と、を有し、前記上部部材と前記中間部材と前記下部部材とが順に重ねられ、前記上部部材の穴を形成する縁が前記中間部材の穴を形成する縁と前記下部部材の穴を形成する縁とを挟んで折り込まれるドレイン本体と、
前記排水管部の外周を囲うように配置され上端部を前記中間部材の下面に突き当てて内側にコンクリートを充填されない空隙を形成する筒状のスペーサと、
備える、
ことを特徴とするルーフドレイン。
【請求項１７】
雨水を排水するために筒状のスペーサと組み合わされて建物のコンクリート製の床面に埋め込まれるドレイン本体であって、
雨水を受けるために下に凹んだ受皿部と該受皿部の下部に位置し穴を設けられた鍔状部とを形成する部材である上部部材と、中央に穴を設けられた鍔状部を形成する部材である中間部材と、上下方向に貫通する排水穴を設けられた管状の排水管部と該排水管部の上部に位置し穴を設けられた鍔状部とを形成する部材である下部部材と、を有し、前記上部部材と前記中間部材と前記下部部材とが順に重ねられ、前記上部部材の穴を形成する縁が前記中間部材の穴を形成する縁と前記下部部材の穴を形成する縁とを挟んで折り込まれる構造を備え、
前記スペーサが前記排水管部の外周を囲うように配置され上端部を前記中間部材の下面に突き当てて内側にコンクリートを充填されない空隙を形成する、
ことを特徴とするドレイン本体。
【請求項１８】
雨水を排水するために建物のコンクリート製の床面に埋め込まれるルーフドレインであって、
雨水を受けるために下に凹み側面にねじ状の凹凸が設けられた受皿部と該受皿部の下部に位置し穴を設けられた鍔状部とを形成する部材である上部部材と、中央に穴を設けられた鍔状部を形成する部材である中間部材と、上下方向に貫通する排水穴を設けられた管状の排水管部と該排水管部の上部に位置し穴を設けられた鍔状部とを形成する部材である下部部材と、を有し、前記上部部材と前記中間部材と前記下部部材とが順に重ねられ、前記上部部材の穴を形成する縁が前記中間部材の穴を形成する縁と前記下部部材の穴を形成する縁とを挟んで折り込まれるドレイン本体と、
前記排水管部の外周を囲うように配置され上端部を前記中間部材の下面に突き当てて内側にコンクリートを充填されない空隙を形成する筒状のスペーサと、
を備える、
ことを特徴とするルーフドレイン。
【発明の詳細な説明】
【技術分野】
【０００１】
本発明は、ルーフドレインとそれに組み込まれるドレイン本体とに係る。特に、コンクリート製の床面に埋め込まれる構造に特徴のあるルーフドレインとそれに組み込まれるドレイン本体とに関する。
【背景技術】
【０００２】
建物の各階にはベランダ、バルコニー、廊下等が設けられる。雨水が、ベランダ、バルコニー、廊下等に直接に降り込むので、排水設備がその雨水を排水する。排水設備は、排水溝とルーフドレインと排水管とで構成される。
排水溝は、ベランダ、バルコニー、廊下等の一部として形つくられ、雨水を集めて流す溝である。ルーフドレインは、排水溝の途中に設けられ、集められた雨水を下方に誘導する機器である。配水管は、ルーフドレインに集まった雨水を各階から集めて下方に流す機器である。雨水は、配水管がら出て地上または地下の下水道へ送られる。
【０００３】
建物を建造する際には、型枠に排水溝とルーフドレンを仕込んだ後で、コンクリートを流し込む。その後、幾つかの工事がなされた後で、配水管が敷設される。したがって、しばらくの間、配水管のかわりに、仮設配管が、ルーフドレインに集められた雨水を排水する。例えば、仮設配管は、ルーフドレインに仮に接続したビニール管である。仮設配管は、配水管を敷設するときに、除去される。
【０００４】
従来のルーフドレインの構造は、仮設配管をつなげることを前提としておらず、仮設配管の敷設が、建築工事の負担となっていた。
【０００５】
【特許文献１】特開平１１−３１５６２１号
【特許文献２】特開２００６−１３２１２３号
【発明の開示】
【発明が解決しようとする課題】
【０００６】
本発明は以上に述べた問題点に鑑み案出されたもので、簡単な構成で簡易に敷設できるルーフドレインとそれに組み込まれるドレイン本体を提供しようとする。
【課題を解決するための手段】
【０００７】
上記目的を達成するため、本発明に係る  雨水を排水するために建物のコンクリート製の床面に埋め込まれるルーフドレインを、雨水を上面で受ける受皿部と該受皿部の下部に連接し上下方向に貫通する排水穴を設けられた管状の排水管部と前記排水管部を囲んで前記受皿部の下に位置する環状部と前記環状部から内側に向かって突起する突起部とを形成するドレイン本体と、前記排水管部の外周を囲うように配置され内側にコンクリートを充填されない空隙を形成する筒状のスペーサと、を備え、前記排水管部を囲うように下側から前記空隙に挿入した筒状の排水用配管に付加又は加工された部分が前記突起部に係合可能である、ものとした。
【０００８】
上記本発明の構成により、ドレイン本体が、雨水を上面で受ける受皿部と該受皿部の下部に連接し上下方向に貫通する排水穴を設けられた管状の排水管部と前記排水管部を囲んで前記受皿部の下に位置する環状部と前記環状部から内側に向かって突起する突起部とを形成する。筒状のスペーサが、前記排水管部の外周を囲うように配置され内側にコンクリートを充填されない空隙を形成する。前記排水管部を囲うように下側から前記空隙に挿入した筒状の排水用配管に付加又は加工された部分が前記突起部に係合可能である。
その結果、係合リングが前記受皿部と前記スペーサとに挟まれて固定され、排水用配管を前記排水配管部を囲うように下側から前記空隙に挿入して、筒状の排水用配管に付加又は加工された部分を係合リングの前記突起部に係合させると、前記受皿部に受けた排水が排水管部の排水穴を経由して排水用配管の中に入り、雨水を排水できる。
【０００９】
さらに、本発明の実施形態に係るルーフドレインは、前記突起部が前記環状部の内周面から内側へ水平に拡がる扇状部と該扇状部の半径方向に延びる辺から上方に立ち上がる立ち上げ部とを持つ。
その結果、前記扇状部が前記環状部の内周面から内側へ水平に拡がり、前記立ち上げ部が該扇状部の半径方向に延びる辺から上方に立ち上がるので、突起部に係合した排水用配管に付加又は加工された部分が立ち上げ部に拘束されて、排水用配管が外れにくくなる。
【００１０】
上記目的を達成するため、本発明に係る雨水を排水するために雨水を上面で受ける受皿部と該受皿部の下部に連接し上下方向に貫通する排水穴を設けられた管状の排水管部とを形成するドレイン本体と前記排水管部の外周を囲うように配置され内側にコンクリートを充填されない空隙を形成する筒状のスペーサとに組み合わされて建物のコンクリート製の床面に埋め込まれる部材である係合リングを、前記排水管部を囲んで前記受皿部の下に位置する環状部と前記環状部から内側に向かって突起する突起部とを形成する構造を備え、前記排水管部を囲うように下側から前記空隙に挿入した筒状の排水用配管に付加又は加工された部分が前記突起部に係合可能である、ものとした。
【００１１】
上記本発明の構成により、ドレイン本体が雨水を上面で受ける受皿部と該受皿部の下部に連接し上下方向に貫通する排水穴を設けられた管状の排水管部とを形成する。筒状のスペーサが、前記排水管部の外周を囲うように配置され内側にコンクリートを充填されない空隙を形成する。係合リングが、前記排水管部を囲んで前記受皿部の下に位置する環状部と前記環状部から内側に向かって突起する突起部とを形成する。前記排水管部を囲うように下側から前記空隙に挿入した筒状の排水用配管に付加又は加工された部分が前記突起部に係合可能である。
その結果、係合リングが前記受皿部と前記スペーサとに挟まれて固定され、排水用配管を前記排水管部を囲うように下側から前記空隙に挿入して、筒状の排水用配管に付加又は加工された部分を係合リングの前記突起部に係合させると、前記受皿部に受けた排水が排水管部の排水穴を経由して排水用配管の中に入り、雨水を排水できる。
【００１２】
さらに、本発明の実施形態に係るドレイン本体は、前記環状部が前記受皿部の下面と前記スペーサの上端面とに挟まれる鍔状部と該鍔状部に連接し前記スペーサの内周面に接触する筒状部とを持ち、前記突起部が前記筒状部の内周面から内側へ水平に拡がる扇状部と該扇状部の半径方向に延びる辺から上方に立ち上がる立ち上げ部とを持つ。
その結果、前記鍔状部が前記受皿部の下面と前記スペーサの上端面とに挟まれ、筒状部が該鍔状部に連接し前記スペーサの内周面に接触するので、排水用配管が位置決めされ、前記扇状部が前記筒状部の内周面から内側へ水平に拡がり、前記立ち上げ部が該扇状部の半径方向に延びる辺から上方に立ち上がるので、突起部に係合した排水用配管に付加又は加工された部分が立ち上げ部に拘束されて、排水用配管が外れにくくなる。
【００１３】
上記目的を達成するため、本発明に係る雨水を排水するために建物のコンクリート製の床面に埋め込まれるルーフドレインを、雨水を上面で受ける受皿部と該受皿部の下部に連接し上下方向に貫通する排水穴を設けられた管状の排水管部と前記排水管部の外周面から外側へ突起する突起部とを形成するドレイン本体と、前記排水管部の外周を囲うように配置され内側にコンクリートを充填されない空隙を形成する筒状のスペーサと、を備え、前記排水管部を囲うように下側から前記空隙に挿入した筒状の排水用配管に付加又は加工された部分が前記突起部に係合可能である、ものとした。
【００１４】
上記本発明の構成により、ドレイン本体が、雨水を上面で受ける受皿部と該受皿部の下部に連接し上下方向に貫通する排水穴を設けられた管状の排水管部と前記排水管部の外周面から外側へ突起する突起部とを形成する。筒状のスペーサが、前記排水管部の外周を囲う様に配置され内側にコンクリートを充填されない空隙を形成する。前記排水管部を囲う様に下側から前記空隙に挿入した筒状の排水用配管に付加又は加工された部分が前記突起部に係合可能である。
その結果、排水用配管を前記排水配管部を囲う様に下側から前記空隙に挿入して、筒状の排水用配管に付加又は加工された部分をドレイン本体の前記突起部に係合させると、前記受皿部に受けた排水が排水管部の排水穴を経由して排水用配管の中に入り、雨水を排水できる。
【００１５】
さらに、本発明の実施形態に係るルーフドレインは、前記突起部が前記排水管部の外周面から外側へ水平に拡がる扇状部と該扇状部の半径方向に延びる辺から上方へ立ち上がる立ち上げ部とを持つ。
その結果、前記突起部において、扇状部が前記排水管部の外周面から外側へ水平に拡がり、立ち上げ部が該扇状部の半径方向に延びる辺から上方へ立ち上がるので、突起部に係合した排水用配管に付加又は加工された部分が立ち上げ部に拘束されて、排水用配管が外れにくくなる。
【００１６】
上記目的を達成するため、本発明に係る雨水を排水するために筒状のスペーサと組み合わされて建物のコンクリート製の床面に埋め込まれドレイン本体を、雨水を上面で受ける受皿部と該受皿部の下部に連接し上下方向に貫通する排水穴を設けられた管状の排水管部と前記排水管部の外周面から外側へ突起する突起部とを形成する構造を備え、前記スペーサが前記排水管部の外周を囲う様に配置され内側にコンクリートを充填されない空隙を形成し、前記排水管部を囲う様に下側から前記空隙に挿入した筒状の排水用配管に付加又は加工された部分が前記突起部に係合可能である、ものとした。
【００１７】
上記本発明の構成により、ドレイン本体が、雨水を上面で受ける受皿部と該受皿部の下部に連接し上下方向に貫通する排水穴を設けられた管状の排水管部と前記排水管部の外周面から外側へ突起する突起部とを形成する。筒状のスペーサが、前記排水管部の外周を囲うように配置され内側にコンクリートを充填されない空隙を形成する。前記排水管部を囲うように下側から前記空隙に挿入した筒状の排水用配管に付加又は加工された部分が前記突起部に係合可能である。
その結果、排水用配管を前記排水配管部を囲うように下側から前記空隙に挿入して、筒状の排水用配管に付加又は加工された部分をドレイン本体の前記突起部に係合させると、前記受皿部に受けた排水が排水管部の排水穴を経由して排水用配管の中に入り、雨水を排水できる。
【００１８】
さらに、本発明の実施形態に係るドレイン本体は、前記突起部が前記排水管部の外周面から外側へ水平に拡がる扇状部と該扇状部の半径方向に延びる辺から上方へ立ち上がる立ち上げ部とを持つ。
その結果、前記突起部において、扇状部が前記排水管部の外周面から外側へ水平に拡がり、立ち上げ部が該扇状部の半径方向に延びる辺から上方へ立ち上がるので、突起部に係合した排水用配管に付加又は加工された部分が立ち上げ部に拘束されて、排水用配管が外れにくくなる。
【００１９】
上記目的を達成するため、本発明に係る雨水を排水するために建物のコンクリート製の床面に埋め込まれるルーフドレインを、雨水を上面で受ける受皿部と該受皿部の下部に連接し上下に貫通する排水穴を設けられた管状の排水管部と前記排水管部に設けられた窪み部または切り欠き部とを形成するドレイン本体と、前記排水管部の外周を囲うように配置され内側にコンクリートを充填されない空隙を形成する筒状のスペーサと、を備え、前記排水管部を囲うように下側から前記空隙に挿入した筒状の排水用配管に付加又は加工された部分が前記窪み部または切り欠き部に係合可能である、ものとした。
【００２０】
上記本発明の構成により、ドレイン本体が、雨水を上面で受ける受皿部と該受皿部の下部に連接し上下に貫通する排水穴を設けられた管状の排水管部と前記排水管部に設けられた窪み部または切り欠き部とを形成する。筒状のスペーサが、前記排水管部の外周を囲うように配置され内側にコンクリートを充填されない空隙を形成する。前記排水管部を囲うように下側から前記空隙に挿入した筒状の排水用配管に付加又は加工された部分が前記窪み部または切り欠き部に係合可能である。
その結果、排水用配管を前記排水配管部を囲うように下側から前記空隙に挿入して、筒状の排水用配管に付加又は加工された部分をドレイン本体の前記窪み部または切り欠き部に係合させると、前記受皿部に受けた排水が排水管部の排水穴を経由して排水用配管の中に入り、雨水を排水できる。
【００２１】
さらに、本発明の実施形態に係るルーフドレインは、前記切り欠き部が前記排水管部の下端部から上方へ延びる直線部と該直線部の上端に繋がる上方へ凸になったＵ字形部とを持つ。
その結果、排水用配管を前記排水配管部を囲うように下側から前記空隙に挿入すると、筒状の排水用配管に付加又は加工された部分が前記切り欠き部の直線部と上方に凸になったＵ字部に案内されてＵ字部の端部に係合し、排水用配管がドレイン本体に拘束される。
【００２２】
上記目的を達成するため、本発明に係る雨水を排水するために筒状のスペーサと組み合わされて建物のコンクリート製の床面に埋め込まれるドレイン本体を、雨水を上面で受ける受皿部と該受皿部の下部に連接し上下に貫通する排水穴を設けられた管状の排水管部と前記排水管部に設けられた窪み部または切り欠き部とを形成する構造を備え、前記スペーサが前記排水管部の外周を囲うように配置され内側にコンクリートを充填されない空隙を形成し、前記排水管部を囲うように下側から前記空隙に挿入した筒状の排水用配管に付加又は加工された部分が前記窪み部または切り欠き部に係合可能である、ものとした。
【００２３】
上記本発明の構成により、ドレイン本体が、雨水を上面で受ける受皿部と該受皿部の下部に連接し上下に貫通する排水穴を設けられた管状の排水管部と前記排水管部に設けられた窪み部または切り欠き部とを形成する。筒状のスペーサが、管状の排水管部と前記排水管部に設けられた窪み部または切り欠き部とを形成する。前記排水管部を囲うように下側から前記空隙に挿入した筒状の排水用配管に付加又は加工された部分が前記窪み部または切り欠き部に係合可能である。
その結果、排水用配管を前記排水配管部を囲うように下側から前記空隙に挿入して、筒状の排水用配管に付加又は加工された部分をドレイン本体の前記窪み部または切り欠き部に係合させると、前記受皿部に受けた排水が排水管部の排水穴を経由して排水用配管の中に入り、雨水を排水できる。
【００２４】
さらに、本発明の実施形態に係るドレイン本体は、前記切り欠き部が前記排水管部の下端部から上方へ延びる直線部と該直線部の上端に繋がる上方へ凸になったＵ字形部とを持つ。
その結果、排水用配管を前記排水配管部を囲うように下側から前記空隙に挿入すると、筒状の排水用配管に付加又は加工された部分が前記切り欠き部の直線部と上方に凸になったＵ字部に案内されてＵ字部の端部に係合し、排水用配管がドレイン本体に拘束される。
【００２５】
上記目的を達成するため、本発明に係る雨水を排水するために建物のコンクリート製の床面に埋め込まれるルーフドレインを、雨水を上面で受ける受皿部と該受皿部の下部に連接し上下方向に貫通する排水穴を設けられた管状の排水管部とを形成するドレイン本体と、前記排水管部の外周を囲うように配置され内側にコンクリートを充填されない空隙を形成する筒状のスペーサと、前記排水穴の上面を覆う様に前記受皿部の上部に配置され複数のスリットまたは複数の穴を設けられたストレーナと、上下方向の寸法を縮めると水平方向の寸法が伸び上下方向の寸法を伸ばすと水平方向の寸法が縮む止め部材と、前記止め部材と前記ストレーナとに貫通しねじると前記止め部材の上下方向の寸法を変化させるボルトである取付部材と、を備え、前記止め部材が水平方向の寸法を伸ばすと前記排水管部の少なくとも２箇所に引っ掛かる、ものとした。
【００２６】
上記本発明の構成により、ドレイン本体が、雨水を上面で受ける受皿部と該受皿部の下部に連接し上下方向に貫通する排水穴を設けられた管状の排水管部とを形成する。筒状のスペーサが、前記排水管部の外周を囲うように配置され内側にコンクリートを充填されない空隙を形成する。複数のスリットまたは複数の穴を設けられたストレーナが、前記排水穴の上面を覆う様に前記受皿部の上部に配置される。止め部材が、上下方向の寸法を縮めると水平方向の寸法が伸び上下方向の寸法を伸ばすと水平方向の寸法が縮む。ボルトである取付部材が、前記止め部材と前記ストレーナとに貫通しねじると前記止め部材の上下方向の寸法を変化させる。前記止め部材が水平方向の寸法を伸ばすと前記排水管部の少なくとも２箇所に引っ掛かる。
その結果、取付部材をねじって上下方向の寸法を縮めると水平方向の寸法が伸びて、前記止め部材が前記排水管部の少なくとも２箇所に引っ掛かかり、ストレーナを固定できる。取付部材を反対にねじって上下方向の寸法を伸ばすと水平方向の寸法が縮んで、前記止め部材が前記排水管部から外れ、ストレーナを外すことをできる。
【００２７】
さらに、本発明の実施形態に係るルーフドレインは、前記止め部材が水平方向から見て閉じた輪状又は多角形状になり前記取付部材が上下方向に貫通する一対の貫通穴を設けられた弾性のあるばね部材と前記ばね部材に固着し前記取付部材がねじこまれるねじ部とを持つ、前記止め部材において、弾性のあるばね部材が水平方向から見て閉じた輪状又は多角形状になり前記取付部材が上下方向に貫通する一対の貫通穴を設けられ、ねじ部が前記ばね部材に固着し前記取付部材がねじこまれる。
その結果、ボルトである取付部材をねじると、ねじ部が上下方向に移動し、弾性のあるばね部材が変形して、上下方向の寸法を縮めると水平方向の寸法が伸び上下方向の寸法を伸ばすと水平方向の寸法が縮む。
【００２８】
上記目的を達成するため、本発明に係る雨水を排水するために建物のコンクリート製の床面に埋め込まれるルーフドレインを、雨水を上面で受ける受皿部と該受皿部の下部に連接し上下方向に貫通する排水穴を設けられた管状の排水管部とを形成するドレイン本体と、前記排水管部の外周を囲うように配置され内側にコンクリートを充填されない空隙を形成する筒状のスペーサと、前記排水穴の上面を覆う様に前記受皿部の上部に配置され複数のスリットまたは複数の穴を設けられたストレーナと、一方の端部にねじ部が設けられた棒状部材である止め部材と、前記ストレーナを貫通し前記止め部材のねじ部にねじこまれたボルトである取付部材と、を備え、取付部材をねじると前記止め部材の他方の端部が前記排水管部に引っ掛かる、ものとした。
【００２９】
上記本発明の構成により、ドレイン本体が、雨水を上面で受ける受皿部と該受皿部の下部に連接し上下方向に貫通する排水穴を設けられた管状の排水管部とを形成する。筒状のスペーサが、前記排水管部の外周を囲うように配置され内側にコンクリートを充填されない空隙を形成する。複数のスリットまたは複数の穴を設けられたストレーナが、前記排水穴の上面を覆う様に前記受皿部の上部に配置される。棒状部材である止め部材が、一方の端部にねじ部が設けられる。ボルトである取付部材が、前記ストレーナを貫通し前記止め部材のねじ部にねじこまれる。取付部材をねじると前記止め部材の他方の端部が前記鍔状縁部に引っ掛かる。
その結果、取付部材をねじると前記止め部材の他方の端部が前記鍔状縁部に引っ掛かかり、ストレーナを固定できる。取付部材を反対にねじると、前記止め部材の他方の端部が前記排水管部から外れ、ストレーナを外すことをできる。
【００３０】
上記目的を達成するため、本発明に係る雨水を排水するために建物のコンクリート製の床面に埋め込まれるルーフドレインを、排水を受けるために下に凹んだ受皿部と該受皿部の下部に位置し穴を設けられた鍔状部とを形成する部材である上部部材と、中央に穴を設けられた鍔状部を形成する部材である中間部材と、上下方向に貫通する排水穴を設けられた管状の排水管部と該排水管部の上部に位置し穴を設けられた鍔状部とを形成する部材である下部部材と、を有し、前記上部部材と前記中間部材と前記下部部材とが順に重ねられ、前記上部部材の穴を形成する縁が前記中間部材の穴を形成する縁と前記下部部材の穴を形成する縁とを挟んで折り込まれるドレイン本体と、前記排水管部の外周を囲うように配置され上端部を前記中間部材の下面に突き当てて内側にコンクリートを充填されない空隙を形成する筒状のスペーサと、備える、ものとした。
【００３１】
上記本発明の構成により、ドレイン本体において、上部部材が、排水を受けるために下に凹んだ受皿部と該受皿部の下部に位置し穴を設けられた鍔状部とを形成する部材である。中間部材が、中央に穴を設けられた鍔状部を形成する部材である。下部部材が、上下方向に貫通する排水穴を設けられた管状の排水管部と該排水管部の上部に位置し穴を設けられた鍔状部とを形成する部材である。前記上部部材と前記中間部材と前記下部部材とが順に重ねられ、前記上部部材の穴の内側の縁が前記中間部材の穴の縁と前記下部部材の穴の縁とを巻き込んで折り込まれる。筒状のスペーサが、前記排水管部の外周を囲うように配置され上端部を前記中間部材の下面に突き当てて内側にコンクリートを充填されない空隙を形成する。
その結果、ドレイン本体が、上部部材と中間部材と下部部材との一体構造となり、スペーサが、内側にコンクリートを充填されない空隙を形成し、簡易で軽量な構造のルーフドレインを製造できる。
【００３２】
上記目的を達成するため、本発明に係る雨水を排水するために筒状のスペーサと組み合わされて建物のコンクリート製の床面に埋め込まれるドレイン本体を、排水を受けるために下に凹んだ受皿部と該受皿部の下部に位置し穴を設けられた鍔状部とを形成する部材である上部部材と、中央に穴を設けられた鍔状部を形成する部材である中間部材と、上下方向に貫通する排水穴を設けられた管状の排水管部と該排水管部の上部に位置し穴を設けられた鍔状部とを形成する部材である下部部材と、を有し、前記上部部材と前記中間部材と前記下部部材とが順に重ねられ、前記上部部材の穴を形成する縁が前記中間部材の穴を形成する縁と前記下部部材の穴を形成する縁とを挟んで折り込まれる構造を備え、前記スペーサが前記排水管部の外周を囲うように配置され上端部を前記中間部材の下面に突き当てて内側にコンクリートを充填されない空隙を形成する、ものとした。
【００３３】
上記本発明の構成により、ドレイン本体において、上部部材が、排水を受けるために下に凹んだ受皿部と該受皿部の下部に位置し穴を設けられた鍔状部とを形成する部材である、中間部材が、中央に穴を設けられた鍔状部を形成する部材である。下部部材とが、上下方向に貫通する排水穴を設けられた管状の排水管部と該排水管部の上部に位置し穴を設けられた鍔状部とを形成する部材である。前記上部部材と前記中間部材と前記下部部材とが順に重ねられ、前記上部部材の穴の内側の縁が前記中間部材の穴の縁と前記下部部材の穴の縁とを巻き込んで折り込まれる。筒状のスペーサが、前記排水管部の外周を囲うように配置され上端部を前記中間部材の下面に突き当てて内側にコンクリートを充填されない空隙を形成する。
その結果、ドレイン本体が、上部部材と中間部材と下部部材との一体構造となり、スペーサが、内側にコンクリートを充填されない空隙を形成し、簡易で軽量な構造のルーフドレインを製造できる。
【００３４】
上記目的を達成するため、本発明に係る雨水を排水するために建物のコンクリート製の床面に埋め込まれるルーフドレインを、雨水を受けるために下に凹み側面にねじ状の凹凸が設けられた受皿部と該受皿部の下部に位置し穴を設けられた鍔状部とを形成する部材である上部部材と、中央に穴を設けられた鍔状部を形成する部材である中間部材と、上下方向に貫通する排水穴を設けられた管状の排水管部と該排水管部の上部に位置し穴を設けられた鍔状部とを形成する部材である下部部材と、を有し、前記上部部材と前記中間部材と前記下部部材とが順に重ねられ、前記上部部材の穴を形成する縁が前記中間部材の穴を形成する縁と前記下部部材の穴を形成する縁とを挟んで折り込まれるドレイン本体と、前記排水管部の外周を囲うように配置され上端部を前記中間部材の下面に突き当てて内側にコンクリートを充填されない空隙を形成する筒状のスペーサとを、備える、ものとした。
【００３５】
上記本発明の構成により、ドレイン本体において、上部部材が、雨水を受けるために下に凹み側面にねじ状の凹凸が設けられた受皿部と該受皿部の下部に位置し穴を設けられた鍔状部とを形成する部材である。下部部材が、上下方向に貫通する排水穴を設けられた管状の排水管部と該排水管部の上部に位置し穴を設けられた鍔状部とを形成する部材である。前記上部部材と前記中間部材と前記下部部材とが順に重ねられ、前記上部部材の穴の内側の縁が前記中間部材の穴の縁と前記下部部材の穴の縁とを巻き込んで折り込まれる。筒状のスペーサが、前記排水管部の外周を囲うように配置され上端部を前記中間部材の下面に突き当てて内側にコンクリートを充填されない空隙を形成する。
その結果、ドレイン本体が、上部部材と中間部材と下部部材との一体構造となり、スペーサが、内側にコンクリートを充填されない空隙を形成し、ストレーナ等を前記上部部材に設けられたねじ状の凸凹に嵌め合わせることをでき、簡易で軽量な構造のルーフドレインを製造できる。
【発明の効果】
【００３６】
以上説明したように、本発明に係るループドレインとそれに組み込まれるドレイン本体は、その構成により、以下の効果を有する。
雨水を受ける受皿部と雨水を流す排水管部と受皿部の下に位置する環状部とその環状部から内側へ突起する突起部とをもったドレイン本体を用意し、筒状のスペーサを排水管部を囲ってドレイン本体の下に配置し、排水用配管に付加した部分がその突起部に係合できる様にしたので、排水用配管を前記排水配管部を囲うように下側から前記空隙に挿入して、筒状の排水用配管に付加又は加工した部分を前記突起部に係合させると、前記受皿部に受けた排水が排水管部の排水穴を経由して排水用配管の中に入り、雨水を排水できる。
また、突起部を前記環状部の内周面から内側へ水平に拡がる扇状部と該扇状部の半径方向に延びる辺から上方に立ち上がる立ち上げ部とで構成される様にしたので、突起部に係合した排水用配管に付加した部分が立ち上げ部に拘束されて、排水用配管が外れにくくなる。
雨水を受ける受皿部と雨水を流す排水管部とをもったドレイン本体と受皿部の下に位置する環状部とその環状部から内側へ突起する突起部とで構成された係合リングとを用意し、筒状のスペーサを排水管部を囲ってドレイン本体の下に配置し、排水用配管に付加または加工した部分がその突起部に係合できる様にしたので、排水用配管を排水管部を囲うように下側から前記空隙Ｈに挿入して、排水用配管に付加された部分を係合リングの前記突起部に係合させると、前記受皿部に受けた排水が排水管部の排水穴を経由して排水用配管の中に入り、雨水を排水できる。
また、係合リングを前記受皿部の下面と前記スペーサの上端面とに挟まれる鍔状部と該鍔状部に連接し前記スペーサの内周面に接触する筒状部と前記筒状部から突起する突起部としたので、排水配管が位置決めされ、その突起部を前記筒状部の内周面から内側へ水平に拡がる扇状部と該扇状部の半径方向に延びる辺から上方に立ち上がる立ち上げ部とで構成される様にしたので、突起部に係合した排水用配管に付加又は加工された部分が立ち上げ部に拘束されて、排水用配管が外れにくくなる。
【００３７】
雨水を受ける受皿部と雨水を流す排水管部と前記排水管部の外周面から外側へ突起する突起部とをもったドレイン本体を用意し、筒状のスペーサを排水管部を囲ってドレイン本体の下に配置し、排水用配管に付加または加工した部分がその突起部に係合できる様にしたので、排水用配管を前記排水配管部を囲うように下側から前記空隙に挿入して、筒状の排水用配管に付加又は加工された部分をドレイン本体の前記突起部に係合させると、前記受皿部に受けた排水が排水管部の排水穴を経由して排水用配管の中に入り、雨水を排水できる。
また、前記突起部を前記排水管部の外周面から外側へ水平に拡がる扇状部と該扇状部の半径方向に延びる辺から上方へ立ち上がる立ち上げ部とで構成する様にしたので、突起部に係合した排水用配管に付加又は加工された部分が立ち上げ部に拘束されて、排水用配管が外れにくくなる。
雨水を受ける受皿部と雨水を流す排水管部とで構成し前記排水管部の外周面に窪み部または切り欠き部を設けたドレイン本体を用意し、筒状のスペーサを排水管部を囲ってドレイン本体の下に配置し、排水用配管に付加または加工した部分がその窪み部または切り欠き部に係合できる様にしたので、排水用配管を前記排水配管部を囲うように下側から前記空隙に挿入して、筒状の排水用配管に付加又は加工された部分をドレイン本体の前記窪み部または切り欠き部に係合させると、前記受皿部に受けた排水が排水管部の排水穴を経由して排水用配管の中に入り、雨水を排水できる。
また、切り欠き部が前記排水管部の下端部から上方へ直線部とＵ字形が組み合わされた逆さまになったＪ字形をしている様にしたので、排水用配管を前記排水配管部を囲うように下側から前記空隙に挿入すると、筒状の排水用配管に付加又は加工された部分が前記切り欠き部の直線部と上方に凸になったＵ字部に案内されてＵ字部の端部に係合し、排水用配管がドレイン本体に拘束される。
【００３８】
ルーフドレインを雨水を受けて排水穴から流すドレイン本体とドレイン本体の下に配する管状のスペーサと受皿部にかぶせるストレーナと止め部材と取付部材とで構成し、止め部材が上下方向の寸法を縮めると水平方向の寸法が伸び上下方向の寸法を伸ばすと水平方向の寸法が縮む構造とし、取付部材をねじって止め部材が水平方向の寸法を伸ばすと前記ドレイン本体の少なくとも２箇所に引っ掛かる様にしたので、取付部材をねじって上下方向の寸法を縮めると水平方向の寸法が伸びて、前記止め部材が前記ドレイン本体部の少なくとも２箇所に引っ掛かかり、ストレーナを固定できる。取付部材を反対にねじって上下方向の寸法を伸ばすと水平方向の寸法が縮んで、前記止め部材が前記鍔状部から外れ、ストレーナを外すことをできる。
また、前記止め部材を、弾性のあるばね部材が水平方向から見て閉じた輪状又は多角形状になり前記取付部材が上下方向に貫通する一対の貫通穴を設けられる構造とし、ねじ部が前記ばね部材に固着し前記取付部材がねじこまれる様にしたので、ボルトである取付部材をねじると、ねじ部が上下方向に移動し、弾性のあるばね部材が変形して、上下方向の寸法を縮めると水平方向の寸法が伸び上下方向の寸法を伸ばすと水平方向の寸法が縮む。
ルーフドレインを雨水を受けて排水穴から流すドレイン本体とドレイン本体の下に配する管状のスペーサと受皿部にかぶせるストレーナと止め部材と取付部材とで構成し、止め部材が一方の端部にねじ部が設けられる棒状の構造とし、取付部材をねじると止め部材の他方の端部が前記ドレイン本体に引っ掛かる様にしたので、取付部材をねじると前記止め部材の他方の端部が前記ドレイン本体部に引っ掛かかり、ストレーナを固定できる。取付部材を反対にねじると、前記止め部材の他方の端部が前記鍔状部からから外れ、ストレーナを外すことをできる。
【００３９】
ドレイン本体を雨水を受けて穴にながす受皿部をもった上部部材と穴をもった中間部材と雨水を穴から排水穴にながす排水管部をもった下部部材を順に重ねた構造とし、前記上部部材の穴を形成した縁が前記中間部材の穴を形成した縁と前記下部部材の穴を形成した縁とを巻き込んで折り込まれる様にしたので、ドレイン本体が、上部部材と中間部材と下部部材との一体構造となり、スペーサが、内側にコンクリートを充填されない空隙を形成し、簡易で軽量な構造のルーフドレインを製造できる。
ドレイン本体を雨水を受けて穴にながす受皿部をもちねじ状の凹凸を設けられた上部部材と穴をもった中間部材と雨水を穴から排水穴にながす排水管部をもった下部部材を順に重ねた構造とし、前記上部部材の穴を形成した縁が前記中間部材の穴を形成した縁と前記下部部材の穴を形成した縁とを巻き込んで折り込まれる様にしたので、ドレイン本体が、上部部材と中間部材と下部部材との一体構造となり、スペーサが内側にコンクリートを充填されない空隙を形成し、ストレーナ等をネジ状の凸凹に嵌め合わせることをでき、簡易で軽量な構造のルーフドレインを製造できる。
従って、簡単な構成で簡易に敷設できるルーフドレインとそれに組み込まれるドレイン本体を提供できる。
【発明を実施するための最良の形態】
【００４０】
以下、本発明を実施するための最良の形態を、図面を参照して説明する。
【００４１】
最初に、本発明の第一と第二の実施形態に係るルーフドレインを、図を基に、説明する
図１は、本発明の第一の実施形態に係るルーフドレインの概念図である。図２は、本発明の第二の実施形態に係るルーフドレインの概念図である。図３は、本発明の第一、第二の実施形態に係るルーフドレインの施工図である。図４は、本発明の第一、第二の実施形態に係るルーフドレインの仮設図である。図５は、本発明の第一、第二の実施形態に係るルーフドレインのＡ−Ａ断面図である。図６は、本発明の第一、第二の実施形態に係る排水設備の仮設図である。図７は、本発明の第一、第二の実施形態に係るルーフドレインの本設図である。図８は、本発明の第一、第二の実施形態に係る排水設備の本設図である。
【００４２】
最初に、本発明の第一の実施形態にかかるルーフドレイン１００を説明する。
ルーフドレイン１００は、雨水を排水するために建物のコンクリート製の床面に埋め込まれるものであって、ドレイン本体１０とスペーサ３０とストレーナ４０と止め部材５０と取付部材６０とで構成される。
ドレイン本体１０とスペーサ３０とが、コンクリート製の床面に埋め込まれる。
【００４３】
ドレイン本体１０は、雨水を受けて下方へ流すものであり、受皿部１１ａと排水管部１３ａと環状部２１と突起部２２とを形成する。
受皿部１１ａは、雨水を上面で受ける部分である。
排水管部１３ａは、受皿部１１ａの下部に連接し上下方向に貫通する排水穴Ｐを設けられた管状の部分である。
環状部２１は、排水管部１３ａを囲んで、受皿部１１ａの下に位置する部分である。
突起部２２は、環状部２１から内側に向かって突起する部分である。
【００４４】
ドレイン本体１０は、上部部材１１と中間部材１２と下部部材１３とで構成されてもよい。
例えば、上部部材１１は、排水を受けるために下に凹んだ受皿部１１ａを形成し、受皿部１１ａの下部に位置し穴Ｏを設けられた鍔状部１１ｂを形成する部材である。
中間部材１２は、中央に穴Ｏを設けられた鍔状部１２ａと鍔状部１２ａの外周から下方に下がる立ち下げ部１２ｂと環状部２１と複数の突起部２２とを形成する部材である。
環状部２１は、鍔状部１１ａの下面に連接する部分である。突起部２２は、環状部２１から内側へ突起する部分である。
下部部材１３は、上下方向に貫通する排水穴Ｐを設けられた管状の排水管部１３ａを形成し排水管部１３ａの上部に位置し穴Ｏを設けられた鍔状部１３ｂを形成する部材である。
上部部材１１と中間部材１２と下部部材１３とが順に重ねられ、上部部材１１の穴Ｏを形成する縁が中間部材１２の穴Ｏを形成する縁と下部部材１３の穴Ｏを形成する縁とを挟んで折り込まれ、内側へ突起する鍔状の縁である鍔状縁部Ｇを形成する。鍔状縁部Ｇが、外がら内にむかって下に傾いてもよい。
【００４５】
例えば、環状部２１は、中間部材１２の鍔状部１２ａの外側の縁に平行する鍔状部２１ａと鍔状部２１ａに連接し排水管部１３ａを囲うようになった筒状部２１ｂとで構成されてもよい。筒状部２１ｂの外周面が、スペーサ３０の内周面に接していてもよい。
例えば、突起部２２は、筒状部２１ｂの内壁から内側に拡がった扇状部２２ａと扇状部２２ａの半径方向に延びる一対の辺に位置し上方へ立ち上がった一対の立ち上げ部２２ｂとで構成される。
図５では、４個の突起部２２が、環状部２１の内周の４箇所に各々に突起しているのが示される。
【００４６】
スペーサ３０は、排水管部の外周を囲うように配置され内側にコンクリートを充填されない空隙Ｈを形成する筒状の部材である。
通常、スペーサ３０は、プラスチック管（例えば、塩ビ管）を所定の長さに切断してつくられた部材である。スペーサ３０の直径は、ドレイン本体１０の大きさにより決定される。空隙Ｈの内径は、本設する排水用配管の直径より大きい。
【００４７】
ストレーナ４０は、排水穴Ｐの上面を覆う様に受皿部１１ａの上部に配置され複数のスリットまたは複数の穴を設けられた部材である。
例えば、ストレーナ４０は、ストレーナ上部４１とストレーナ側部４２とで構成される。ストレーナ上部４１は、複数のスリットを設けられた円形の板材である。ストレーナ側部４２は、ストレーナ上部４１の縁に上端部を連接した筒状の板材である。
図１は、ストレーナ４０がドレイン本体１０の受皿部１１ａに嵌り込むのを示されている。
【００４８】
止め部材５０は、ストレーナ４０をドレイン本体１０に固定するための部材である。
止め部材５０は、上下方向の寸法を縮めると水平方向の寸法が伸び、上下方向の寸法を伸ばすと水平方向の寸法が縮む部材であってもよい。
止め部材５０は、ばね部材５１とねじ部５２とで構成されてもよい。
例えば、ばね部材５１は、水平方向から見て閉じた輪状又は多角形状になり取付部材が上下方向に貫通する一対の貫通穴を設けられた弾性のある構造部材である。例えば、ばね部材５１は、金属製である。例えば、ばね部材５１は、金属製薄板である。
ねじ部は、ばね部材に固着し取付部材がねじこまれる部材である。例えば、ねじ部は。ばね部材５１に固着されたナットである。
図１は、横から見て輪状になった幅の狭い金属板でできた止め部材５０を示している。
【００４９】
取付部材６０は、止め部材５０とストレーナ４０とを貫通し、ねじると止め部材の上下方向の寸法を変化させるボルトである。
取付部材６０を一方の側にねじると、止め部材５０の上下方向の寸法を縮み、水平方向の寸法が伸びる。  取付部材６０を他方の側にねじると、止め部材５０の上下方向の寸法を伸び、水平方向の寸法が縮む。
【００５０】
次に、本発明の第二の実施形態に係るルーフドレイン１００を説明する。
ルーフドレイン１００は、雨水を排水するために建物のコンクリート製の床面に埋め込まれるものであって、ドレイン本体１０と係合リング２０とスペーサ３０とストレーナ４０と止め部材５０と取付部材６０とで構成される。
ドレイン本体１０と係合リング２０とスペーサ３０とが、コンクリート製の床面に埋め込まれる。
本発明の第二の実施形態に係るルーフドレイン１００では、ドレイン本体１０の構造が異なる点と係合リング２０を備える点とを除いて、他の構造は同じなので、異なる点のみを説明する。
第二の実施形態に係るルーフドレイン１００のドレイン本体と結合リング２０は、第一の実施形態にかかるルーフドレイン１００のドレイン本体１０を２つの部分に分離したものである。
【００５１】
ドレイン本体１０は、雨水を受けて下方へ流すものであり、受皿部１１ａと排水管部１３ａとを形成する。
受皿部１１ａは、雨水を上面で受ける部分である。
排水管部１３ａは、受皿部の下部に連接し上下方向に貫通する排水穴を設けられた管状の部分である。
【００５２】
ドレイン本体１０は、上部部材１１と中間部材１２と下部部材１３とで構成されてもよい。
例えば、上部部材１１は、排水を受けるために下に凹んだ受皿部１１ａを形成し、受皿部の下部に位置し穴Ｏを設けられた鍔状部１１ｂを形成する部材である。
中間部材１２は、中央に穴Ｏを設けられ外周に下に向いた縁を設けられた鍔状部１２ａと鍔状部１２ａの外周から下方に下がる立ち下げ部１２ｂとを形成する部材である。この筒状部の内周面がスペーサ３０の外周面に接していても良い。
下部部材１３は、上下方向に貫通する排水穴Ｐを設けられた管状の排水管部１３ａを形成し、排水管部１３ａの上部に位置し穴Ｏを設けられた鍔状部１３ｂを形成する部材である。
上部部材１１と中間部材１２と下部部材１３とが順に重ねられ、上部部材１１の穴Ｏを形成する縁が中間部材１２の穴Ｏを形成する縁と下部部材１３の穴Ｏを形成する縁とを挟んでで折り込まれ、内側へ突起する縁である鍔状縁部Ｇを形成する。鍔状縁部Ｇが、外から内に沿って下方に傾いてもよい。
【００５３】
結合リング２０は、  雨水を排水するためにドレイン本体１０とスペーサ３０とに組み合わされて建物のコンクリート製の床面に埋め込まれる部材である。
結合リングは、環状部２１と突起部２２とを形成する構造を備える。
環状部２１は、排水管部１３ａを囲んで受皿部１１ａの下に位置する部分である。
突起部２２は、環状部から内側に向かって突起する部分である。
【００５４】
例えば、環状部２１は、受皿部１１ａの下面とスペーサ３０の上端面とに挟まれる鍔状部２１ａと鍔状部２１ａに連接し排水管部１３ａを囲うようになった筒状部２１ｂとで構成されてもよい。筒状部２１ｂは、スペーサの内周面に接触してもよい。
例へば、突起部２２は、筒状部２１ｂの内壁なら内側に拡がった扇状部２２ａと扇状部２２ａの半径方向に延びる一対の辺に位置し上方へ立ち上がった一対の立ち上げ部２２ｂとで構成される。
図５では、４個の突起部２２が、環状部２１の円周の４箇所に各々に突起しているのが示される。
【００５５】
次に、第一、第二の実施形態にかかるルーフドレインの施工方法を、図を基に、第二の実施形態にかかるルーフドレインを例に用いて、説明する。
ルーフドレイン１００を施工するには、治具７０を用いる。
治具７０は、位置決め板７１と雄ねじ棒７２と塞板７３とちょうナット７４と木ねじ７５とで構成される。
位置決め板７１は、スペーサ３０の内径より僅かに小さな寸法の外径をもつ円形の板材と中央部に固定されたナットで構成される。例えば、位置決め板７１は金属製である。
雄ねじ棒７２は、位置決め板７１のナットにねじ込まれるねじ棒である。
塞板７３は、ドレイン本体１０の受皿部１１ａを仮に塞ぐための板である。
ちょうナット７４は、雄ねじ棒にねじこみ可能なちょう型のつまみのついたナットである。
木ねじ７５は、位置決め板７１を型枠２１０に固定するためのねじである。
【００５６】
施工方法を、手順に沿って、説明する。
（手順１）
位置決め板７１を、型枠２１０のルーフドレインを設置する位置に置いて、木ねじ７５を打ち込む。雄ねじ棒７２を位置決め板７１のナットにねじ込む。
（手順２）
スペーサ３０を、所定の長さに切って、位置決め板７１に嵌める。
（手順３）
ドレイン本体１０と係合リング２０とを、スペーサ３０の上に嵌める。塞板７３をドレイン本体１０にかぶせ、ちょうナット７４を雄ねじ棒にねじ込み、塞板７３を固定する。
（手順４）
コンクリートを型枠２１０の上に流し込み、床面２００を形成する。
（手順５）
コンクリートが固化すると、型枠２１０と治具７０を除去する。
【００５７】
次に、本発明の第一、第二の実施形態に係るルーフドレインの仮排水の方法を、図を基に、説明する。
プラスチック管（例えば、塩ビ管）を所定の長さに切って、付加物８２を上部に付加し。下部にフレキホース８３を取り付けて、配管をつくる。この配管を仮排水用配管と呼称する。例えば、付加物８２は、仮排水用配管の外周に固定された複数のボルト状部材である。
仮排水用配管８０を、排水管部１３ａを囲うように、下側から空隙Ｈに挿入し、付加物８２を突起部２２に引っかける。
フレキホース８３の下端を屋外へ案内する。
この様にすると、雨水が床面に降り込んだときに、雨水が排水溝２２０に案内されて、フールドレイン１０に入り、仮排水用配管８０により屋外へ排水される。
【００５８】
次に、本発明の第一、第二の実施形態にかかるルーフドレイン１０の本排水の方法を、図を基に、説明する。
ストレーナ４０と止め部材５０と取付部材６０とを、先に説明した様に、組み合わせる。
取付部材６０をねじって、止め部材５０の垂直方向の寸法を伸ばして水平方向の寸法を縮める。
ストレーナ４０と止め部材５０と取付部材６０とを、受皿部11ａに挿入する。止め部材５０が、排水穴Ｐに入る。
取付部材６０をねじって、止め部材５０の垂直方向の寸法を縮めて、水平方向の寸法を伸ばす。
止め部材５０がドレイン本体１０に引っ掛かり、ストレーナ４０が固定される。
例えば、止め部材５０がドレイン本体１０の鍔状縁部Ｇに引っ掛かり、ストレーナ４０が固定される。
本配水管２３０を排水管部１３ａを囲うように下側から空隙Ｈに挿入する。
本配水管２３０を竪樋２４０に固定する。
この様にすると、雨水が床面に降り込んだときには、雨水が排水溝２２０に案内され、ルーフドレイン１００に入る。ルーフドレイン１００に入った雨水は、本配水管２３０に案内され、竪樋２４０に入り、下水溝２５０に排水される。
【００５９】
次に、本発明の第三の実施形態に係るルーフドレインを、図を基に、説明する。
図９は、本発明の第三の実施形態に係るルーフドレインの仮設図である。図１０は、本発明の第三の実施形態に係るルーフドレインのＢ−Ｂ断面図である。
ルーフドレイン１００は、雨水を排水するために建物のコンクリート製の床面に埋め込まれるものであって、ドレイン本体１０とスペーサ３０とストレーナ４０と止め部材５０と取付部材６０とで構成される。
ドレイン本体１０とスペーサ３０とが、コンクリート製の床面に埋め込まれる。
本発明の第三の実施形態に係るルーフドレイン１００では、ドレイン本体１０の構造が異なる点を除いて、他の構造は同じなので、異なる点のみを説明する。
【００６０】
ドレイン本体１０は、雨水を受けて下方へ流すものであり、受皿部１１ａと排水管部１３ａと突起部１３ｃとを形成する。
受皿部１１ａは、雨水を上面で受ける部分である。
排水管部１３ａは、受皿部の下部に連接し上下方向に貫通する排水穴を設けられた管状の部分である。
突起部１３ｃは、排水管部１３ａの外周面から外側へ突起する部分である。
突起部１３ｃは、排水管部１３ａの外周面から水平に拡がる扇状部と扇状部の半径方向に延びる辺から上へ立ち上がる立ち上げ部１３ｄとで形成されてもよい。
図１０は、４つの突起部１３ｃが排水管部１３ａの外周面に設けられるのを示している。
【００６１】
ドレイン本体１０は、上部部材１１と中間部材１２と下部部材１３とで構成されてもよい。
例えば、上部部材１１は、排水を受けるために下に凹んだ受皿部１１ａを形成し、受皿部１１ａの下部に穴Ｏを設けられた鍔状部１１ｂを形成する部材である。
中間部材１２は、中央に穴Ｏを設けられ外周に下に向いた縁を設けられた鍔状部１２ａと鍔状部１２ａの外周から下方の下がる立ち下げ部１２ｂとを形成する部材である。
下部部材１３は、上下方向に貫通する排水穴を設けられた管状の排水管部１３ａを形成し、排水管部１３ａの上部に穴Ｏを設けられた鍔状部１３ｂを形成し、排出管部１３ａの外面に突起部１３ｃを形成する部材である。
上部部材１１と中間部材１２と下部部材１３とが順に重ねられ、上部部材１１の穴Ｏを形成する縁が中間部材１２の穴Ｏを形成する縁と下部部材１３の穴Ｏを形成する縁とを挟んで折り込まれ、内側に延びた鍔状の縁である鍔状縁部Ｇを形成する。鍔状縁部Ｇが、外から内へ沿って、下方に傾いてもよい。
【００６２】
本発明の第三の実施形態にかかるルーフドレインの施工方法は、第一、第二の実施形態にかかるルーフドレインの施工方法と同じなので、説明を省略する。
【００６３】
次に、本発明の第三の実施形態にかかるルーフドレインの仮排水の方法を、図を基に、説明する。
プラスチック管（例えば、塩ビ管）を所定の長さに切って、付加物８２を上部に付加し。下部にフレキホース８３を取り付けて、配管をつくる。この配管を仮排水用配管と呼称する。例えば、付加物８２は、仮排水用配管の上部に固定された逆Ｌ字型断面をもった部材である。
仮排水用配管８０を、排水管部１３ａを囲うように、下側から空隙Ｈに挿入し、付加物８２を突起部１３ｃに引っかける。
フレキホース８３の下端を屋外へ案内する。
この様にすると、雨水が床面に降り込んだときに、雨水が排水溝２２０に案内されて、フールドレイン１０に入り、仮排水用配管８０により屋外へ排水される。
【００６４】
本発明の第三の実施形態にかかるルーフドレイン１０の本排水方法は、第一、第二の実施形態にかかるルーフドレインの本排水方法と同じなので、説明を省略する。
【００６５】
次に、本発明の第四の実施形態に係るルーフドレインを、図を基に、説明する。
図１１は、本発明の第四の実施形態に係るルーフドレインの仮設図である。図１２は、本発明の第四の実施形態に係るルーフドレインのＣ−Ｃ断面図である。
ルーフドレイン１００は、雨水を排水するために建物のコンクリート製の床面に埋め込まれるものであって、ドレイン本体１０とスペーサ３０とストレーナ４０と止め部材５０と取付部材６０とで構成される。
ドレイン本体１０とスペーサ３０とが、コンクリート製の床面に埋め込まれる。
本発明の第四の実施形態に係るルーフドレイン１００では、ドレイン本体１０の構造が異なる点を除いて、他の構造は上述したものと同じなので、異なる点のみを説明する。
【００６６】
ドレイン本体１０は、雨水を受けて下方へ流すものであり、受皿部１１ａと排水管部１３ａと窪み部または切り欠き部１３ｄとを形成する。
受皿部１１ａは、雨水を上面で受ける部分である。
排水管部１３ａは、受皿部の下部に連接し上下方向に貫通する排水穴を設けられた管状の部分である。
窪み部または切り欠き部１３ｄが、排水管部に設けられる。
例えば、切り欠き部１３ｄは、排水管部の下端部から上方へ延びる直線部と直線部の上端に繋がる上方へ凸になったＵ字形部とを持つ。すなわち、切り欠き部１３ｄは、逆さまになったＪ字形の切り欠きをもつ。
【００６７】
ドレイン本体１０は、上部部材１１と中間部材１２と下部部材１３とで構成されてもよい。
例えば、上部部材１１は、排水を受けるために下に凹んだ受皿部１１ａを形成し、受皿部１１ａの下部に穴Ｏを設けられた鍔状部１１ｂを形成する部材である。
中間部材１２は、中央に穴Ｏを設けられ外周に下に向いた縁を設けられた鍔状部１２ａと鍔状部１２ａの外周から下がる立ち下げ部１２ｂとを形成する部材である。
下部部材１３は、上下方向に貫通する排水穴を設けられた管状の排水管部１３ａを形成し、排水管部１３ａの上部に穴Ｏを設けられた鍔状部１３ｂを形成し、排出管部に窪み部または切り欠き部１３ｄを形成した部材である。
上部部材１１と中間部材１２と下部部材１３とが順に重ねられ、上部部材１１の穴Ｏを形成する縁が中間部材１２の穴Ｏを形成する縁と下部部材１３の穴Ｏを形成する縁とを挟んで折り込まれ、内側に延びる鍔状の縁である鍔状縁部Ｇを形成する。鍔状縁部Ｇが、外から内へそって、下方に傾く。
【００６８】
本発明の第四の実施形態にかかるルーフドレインの施工方法は、第一、第二の実施形態にかかるルーフドレインの施工方法と同じなので、説明を省略する。
【００６９】
次に、本発明の第四の実施形態にかかるルーフドレインの仮排水の方法を、図を基に、説明する。
プラスチック管（例えば、塩ビ管）を所定の長さに切って、付加物８２を上部に付加し、下部にフレキホース８３を取り付けて、配管をつくる。この配管を仮排水用配管と呼称する。
例えば、付加物８２は、配管の側部を貫通する棒状部材８４である。
仮排水用配管８０を、排水管部１３ａを囲うように、下側から空隙Ｈに挿入し、付加物８２を切り欠き部１３ｄに引っかける。
フレキホース８３の下端を屋外へ案内する。
この様にすると、雨水が床面に降り込んだときに、雨水が排水溝２２０に案内されて、フールドレイン１０に入り、仮排水用配管８０により屋外へ排水される。
【００７０】
本発明の第四の実施形態にかかるルーフドレイン１００の本排水方法は、第一、第二の実施形態にかかるルーフドレインの本排水方法と同じなので、説明を省略する。
【００７１】
次に、本発明の第五の実施形態に係るルーフドレインを、図を基に、説明する。
図１３は、本発明の第五の実施形態に係るルーフドレインの本設図である。
ルーフドレイン１００は、雨水を排水するために建物のコンクリート製の床面に埋め込まれるものであって、ドレイン本体１０とスペーサ３０とストレーナ４０と止め部材５０と取付部材６０とで構成される。
ドレイン本体１０とスペーサ３０とが、コンクリート製の床面に埋め込まれる。
本発明の第五の実施形態に係るルーフドレイン１００では、止め部材５０の構造が異なる点を除いて、他の構造は上述したものと同じなので、異なる点のみを説明する。
【００７２】
止め部材５０は、ストレーナ４０を受皿部１１ａに固定するための部材である。
止め部材５０は、上下方向の寸法を縮めると水平方向の寸法が伸び、上下方向の寸法を伸ばすと水平方向の寸法が縮む部材であってもよい。
止め部材５０は、ばね部材５３とねじ部５２とで構成されてもよい。
ばね部材５３は、水平方向から見て６角形状になり、水平方向に対応する角に突起部を設けられ、垂直方向に対向する辺に取付部材が上下方向に貫通する一対の貫通穴を設けられた弾性のある構造部材である。例えば、ばね部材５３は、互いに連接する上辺５３ａと左右一対の上斜め辺５３ｂと左右一対の突起部５３ｃと左右一対の下斜め辺５３ｄと下辺５３ｅとで構成される。貫通穴が、上辺５３ａと下辺５３ｅに設けられる。例えば、ばね部材５１は、金属製である。例えば、ばね部材５１は、金属製薄板である。
ねじ部は、ばね部材に固着し取付部材がねじこまれる部材である。例えば、ねじ部は。下辺５３ｅに溶接されたナットである。
【００７３】
取付部材６０は、止め部材５０とストレーナ４０とに貫通し、ねじると止め部材の上下方向の寸法を変化させるボルトである。
取付部材６０を一方の側にねじると、止め部材５０の上辺５３ａと下辺５３ｅとが接近し下方向の寸法を縮み、水平方向の寸法が伸び、突起部５３ｃが鍔状縁部Ｇに引っ掛かる。  取付部材６０を他方の側にねじると、上辺５３ａと下辺５３ｅとが離間し止め部材５０の上下方向の寸法を伸び、水平方向の寸法が縮む。
図１３は、実線と２点破線とが、止め部材５０の変形の様子を示している。
【００７４】
本発明の第五の実施形態にかかるルーフドレインの施工、仮排水、または本排水の方法は、第一、第二の実施形態にかかるルーフドレインの施工方法と同じなので、説明を省略する。
【００７５】
次に、本発明の第六の実施形態に係るルーフドレインを、図を基に、説明する。
図１４は、本発明の第六の実施形態に係るルーフドレインの本設図である。
ルーフドレイン１００は、雨水を排水するために建物のコンクリート製の床面に埋め込まれるものであって、ドレイン本体１０とスペーサ３０とストレーナ４０と止め部材５０と取付部材６０とで構成される。
ドレイン本体１０とスペーサ３０とが、コンクリート製の床面に埋め込まれる。
本発明の第六の実施形態に係るルーフドレイン１００では、止め部材５０の構造が異なる点を除いて、他の構造は上述したものと同じなので、異なる点のみを説明する。
【００７６】
止め部材５０は、ストレーナ４０を受皿部１１ａに固定するための部材である。
止め部材５０は、上下方向の寸法を縮めると水平方向の寸法が伸び、上下方向の寸法を伸ばすと水平方向の寸法が縮む部材であってもよい。
止め部材５０は、ばね部材５４とねじ部５２とで構成されてもよい。
ばね部材５４は、水平方向から見て６角形状になり、垂直方向に対向する辺に取付部材が上下方向に貫通する一対の貫通穴を設けられた弾性のある構造部材である。例えば、ばね部材５４は、上辺５４ａと左右一対の上斜め辺５４ｂと左右一対の下斜め辺５４ｃと下辺５４ｄとで構成される。貫通穴が、上辺５４ａと下辺５４ｄに設けられる。例えば、ばね部材５４は、金属製である。例えば、ばね部材５４は、金属製薄板である。
ねじ部は、ばね部材に固着し取付部材がねじこまれる部材である。例えば、ねじ部は。下辺５４ｄに溶接されたナットである。
【００７７】
取付部材６０は、止め部材５０とストレーナ４０とに貫通し、ねじると止め部材の上下方向の寸法を変化させるボルトである。
取付部材６０を一方の側にねじると、止め部材５０の上辺５４ａと下辺５４ｄとが接近し下方向の寸法を縮み、水平方向の寸法が伸び、上斜め辺５４ｂの下部が鍔状縁部Ｇに引っ掛かる。  取付部材６０を他方の側にねじると、上辺５４ａと下辺５４ｄとが離間し止め部材５０の上下方向の寸法を伸び、水平方向の寸法が縮む。
図１４は、実線と２点破線とが、止め部材５０の変形の様子を示している。
【００７８】
本発明の第六の実施形態にかかるルーフドレインの施工、仮排水、または本排水の方法は、第一、第二の実施形態にかかるルーフドレインの施工方法と同じなので、説明を省略する。
【００７９】
次に、本発明の第七の実施形態に係るルーフドレインを、図を基に、説明する。
図１５は、本発明の第七の実施形態に係るルーフドレインの本設図である。
ルーフドレイン１００は、雨水を排水するために建物のコンクリート製の床面に埋め込まれるものであって、ドレイン本体１０とスペーサ３０とストレーナ４０と止め部材５０と取付部材６０とで構成される。
ドレイン本体１０とスペーサ３０とが、コンクリート製の床面に埋め込まれる。
本発明の第七の実施形態に係るルーフドレイン１００では、止め部材５０の構造が異なる点を除いて、他の構造は上述したものと同じなので、異なる点のみを説明する。
【００８０】
止め部材５０は、ストレーナ４０を受皿部１１ａに固定するための部材である。
止め部材５０は、一方の端部にねじ部が設けられた棒状部材であってもよい。
例えば、止め部材５０は、一対の棒状部材５５で構成されてもよい。
棒状部材５５は、水平方向から見てジグザグ形状になり、一方の端部に雌ねじが設けられる。
例えば、棒状構造５５は、互いにジグザグに連接した上辺５５ａと上斜め辺５５ｂと下辺５５ｃとで構成される。雌ねじが上辺５５ａに設けられる。例えば、棒状部材５５は、金属製である。
【００８１】
取付部材６０は、止め部材５０とストレーナ４０とに貫通し、ねじると止め部材の上下方向の寸法を変化させるボルトである。
取付部材６０を一方の側にねじると、上辺５５ａがストレーナ４０に接触し、下辺５５ｃが鍔状縁部Ｇにひっかかる。
図１５では、実線と２点破線とが止め部材の移動の様子を示している。
【００８２】
本発明の第七の実施形態にかかるルーフドレインの施工、仮排水、または本排水の方法は、第一、第二の実施形態にかかるルーフドレインの施工方法と同じなので、説明を省略する。
【００８３】
次に、本発明の第八の実施形態に係るルーフドレインを、図を基に、説明する。
図１６は、本発明の第八の実施形態に係るルーフドレインの仮設図である。図１７は、本発明の第八の実施形態に係るルーフドレインの本設図である。
ルーフドレイン１００は、雨水を排水するために建物のコンクリート製の床面に埋め込まれるものであって、ドレイン本体１０とスペーサ３０とストレーナ４０と外部部材覆い９０とで構成される。
ドレイン本体１０とスペーサ３０とが、コンクリート製の床面に埋め込まれる。
本発明の第八の実施形態に係るルーフドレイン１００では、外部部材覆い９０を有し、ドレイン本体１０とストレーナ４０の構造が異なる点を除いて、他の構造は上述したものと同じなので、異なる点のみを説明する。
【００８４】
ドレイン本体１１０は、雨水を受けて下方へ流すものであり、受皿部１１ａと排水管部１３ａと環状部２１と突起部２２とを形成し、上部部材１１と中間部材１２と下部部材１３とで構成される。
上部部材１１の構造を除いて、その他の構造は同じである。
上部部材１１は、雨水を受けるために下に凹み側面にねじ状の凹凸が設けられた受皿部１１ａと受皿部１１ａの下部に位置し中央に穴Ｏを設けられた鍔状部１１ｂとを形成する部材である。
例えば、受皿部１１ａは、側面の内側に螺旋状に延びる軌跡に沿った凹みが設けられる。
【００８５】
外部部材覆い９０は、上部部材１１の少なくとも内側の面を覆い、受皿部１１ａのねじ状の凹凸に嵌まり合う凹凸を設けられた部材である。
外部部材覆い９０は、外側に上部部材１１の内側の形状とほぼ同一の形状を備える。
外部部材覆い９０は、金属製でも樹脂製でもよい。
例えば、外部部材覆い９０は、上部部材１１の少なくとも内側の面を覆う様に塗布された樹脂膜である。
【００８６】
ストレーナ４０は、排水穴Ｐの上面を覆う様に受皿部１１ａの上部に配置され複数のスリットまたは複数の穴を設けられ、受皿部１１ａのねじ状の凹凸に嵌まり合う凹凸を設けられた部材である。
例えば、ストレーナ４０は、ストレーナ上部４１とストレーナ側部４２とで構成される。ストレーナ上部４１は、複数のスリットを設けられた円形の板材である。ストレーナ側部４２は、ストレーナ上部４１の縁に上端部を連接し、受皿部１１ａのねじ状の凹凸に嵌まり合う凹凸を設けられた筒状の板材である。
【００８７】
本発明の第八の実施形態にかかるルーフドレインの施工、仮排水、または本排水の方法は、第一、第二の実施形態にかかるルーフドレインの施工方法と略同じなので、異なる点のみを説明し、その他の説明を省略する。
最初に、本発明の第八の実施形態にかかるルーフドレインの仮排水の方法を説明する。
上部部材覆い８０が、上部部材１１に嵌まり合っている。
建屋の工事中に粉塵が、受皿部１１ａに入ると、上部部材覆い８０に付着する。
従って、ドレイン本体の雨水を受ける部分は汚れない。
建屋の本排水の付設工事がはじまると、上部部材覆い８０を除去する。
【００８８】
次ぎに、本発明の第八の実施形態にかかるルーフドレインの本排水の方法を説明する。
ストレーナ４０が、凸凹を上部部材の側面に螺旋状に延びる軌跡に沿って設けられた凹凸に嵌まり合い、固定される。
例えば、ストレーナ４０は、上部部材のねじ状の凸凹にねじ込まれる。
【００８９】
また、以上説明したように本発明に係る収納体は、構成により、以下の効果を有する。
本発明の第一の実施形態にかかるルーフドレインの構造により、雨水を受ける受皿部１１ａと雨水を流す排水管部１３ａと受皿部の下に位置する環状部２１とその環状部２１から内側へ突起する突起部２２とをもったドレイン本体１０を用意し、筒状のスペーサ３０を排水管部１３ａを囲ってドレイン本体１０の下に配置し、仮排水用配管８０に付加した付加物８２がその突起部２２に係合できる様にしたので、排水用配管６０を排水管部１３ａを囲うように下側から空隙Ｈに挿入して、筒状の仮排水用配管８０に付加物８２を突起部２２に係合させると、受皿部１１ａに受けた排水が排水管部１３ａの排水穴Ｐを経由して仮排水用配管８０の中に入り、雨水を排水できる。
また、突起部２２を環状部２１の内周面から内側へ水平に拡がる扇状部２２ａと扇状部２２ａの半径方向に延びる一対の辺から上方に立ち上がる一対の立ち上げ部２２ｂとで構成される様にしたので、突起部２２に係合した仮排水用配管８０に付加した付加物８２が立ち上げ部２２ｂに拘束されて、仮排水用配管８０が外れにくくなる。
【００９０】
本発明の第二の実施形態にかかるルーフドレインの構造により、雨水を受ける受皿部１１ａと雨水を流す排水管部１３ａとをもったドレイン本体１０と排水管部１3ａを囲ってドレイン本体１０の下に配置した筒状のスペーサ３０と受皿部11ａの下に位置する環状部２１とその環状部２１から内側へ突起する突起部２２とで構成された係合リングとを用意し、仮排水用配管８０に付加した付加物８２がその突起部２２に係合できる様にしたので、仮排水用配管８０を排水管部１３ａを囲うように下側から空隙Ｈに挿入して、仮排水用配管８０の付加物８２を係合リングの突起部２２に係合させると、受皿部１１ａに受けた排水が排水管部１３ａの排水穴Ｐを経由して仮排水用配管８０の中に入り、雨水を排水できる。
また、係合リング２０を受皿部１１ａの下面とスペーサ３０の上端面とに挟まれる鍔状部２１ａと鍔状部２１ａに連接しスペーサの内周面に接触する筒状部２１ｂと筒状部２１ｂから突起する突起部２２としたので、排水配管が位置決めされ、その突起部２２を筒状部２１ｂの内周面から内側へ水平に拡がる扇状部２２ａと扇状部２２ａの半径方向に延びる一対の辺から上方に立ち上がる一対の立ち上げ部２２ｂとで構成される様にしたので、突起部２２に係合した排水用配管の付加物８２が立ち上げ部２２ｂに拘束されて、排水配管が外れにくくなる。
【００９１】
本発明の第三の実施形態にかかるルーフドレインの構造により、雨水を受ける受皿部１１ａと雨水を流す排水管部１３ａと排水管部の外周面から外側へ突起する突起部１３ｃとをもったドレイン本体１０を用意し、筒状のスペーサ３０を排水管部１３ａを囲ってドレイン本体１０の下に配置し、仮排水用配管に８０付加した部分８２がその突起部１３ｃに係合できる様にしたので、仮排水用配管８０を排水管部１３ａを囲うように下側から空隙Ｈに挿入して、仮排水用配管８０に付加された部分８２をドレイン本体１０の突起部１３ｃに係合させると、受皿部１１ａに受けた排水が排水管部１３ａの排水穴Ｐを経由して仮排水用配管８０の中に入り、雨水を排水できる。
また、突起部１３ｃを排水管部１３ａの外周面から外側へ水平に拡がる扇状部と扇状部の半径方向に延びる一対の辺から上方へ立ち上がる一対の立ち上げ部１３ｄとで構成する様にしたので、突起部１３ｃに係合した仮排水用配管８０に付加部分８２が立ち上げ部１３ｄに拘束されて、仮排水用配管８０が外れにくくなる。
【００９２】
本発明の第四の実施形態にかかるルーフドレインの構造により、雨水を受ける受皿部１１ａと雨水を流す排水管部１３ａとで構成し排水管部１３ａの外周面に切り欠き部１３ｄを設けたドレイン本体を用意し、筒状のスペーサ３０を排水管部１３ａを囲ってドレイン本体の下に配置し、仮排水用配管８０に加工した部分８２がその切り欠き部１３ｄに係合できる様にしたので、仮排水用配管８０を排水管部13ａを囲うように下側から空隙Ｈに挿入して、仮排水用配管８０に付加された部分８２をドレイン本体１０の切り欠き部１３ｄに係合させると、受皿部１１ａに受けた排水が排水管部１３ａの排水穴Ｐを経由して仮排水用配管８０の中に入り、雨水を排水できる。
また、切り欠き部１３ｄが排水管部の下端部から上方へ直線部とＵ字形が組み合わされた逆さまになったＪ字形とし、付加物を仮排水用配管８０に貫通した棒状部材としたので、仮排水用配管８０を排水管部１３ａを囲うように下側から空隙Ｈに挿入すると、仮排水用配管８０に付加された部分８２が切り欠き部１３ｄの直線部と上方に凸になったＵ字部に案内されてＵ字部の端部に係合し、排水用配管がドレイン本体に拘束される。
【００９３】
本発明の第一乃至第六の実施形態にかかるルーフドレインの構造により、ルーフドレイン１００を雨水を受けて排水穴Ｏから流すドレイン本体１０とドレイン本体１０の下に配する管状のスペーサ３０と受皿部にかぶせるストレーナ４０と止め部材５０と取付部材６０とで構成し、止め部材５０が上下方向の寸法を縮めると水平方向の寸法が伸び上下方向の寸法を伸ばすと水平方向の寸法が縮む構造とし、取付部材６０をねじって止め部材５０が水平方向の寸法を伸ばすと鍔状縁部Ｇの少なくとも２箇所に引っ掛かる様にしたので、
取付部材６０をねじって上下方向の寸法を縮めると水平方向の寸法が伸びて、止め部材が鍔状縁部Ｇの少なくとも２箇所に引っ掛かかり、ストレーナ４０を固定できる。取付部材６０を反対にねじって上下方向の寸法を伸ばすと水平方向の寸法が縮んで、止め部材が鍔状縁部Ｇから外れ、ストレーナ４０を外すことをできる。
また、止め部５０材を、弾性のあるばね部材５１が水平方向から見て閉じた輪状又は多角形状になり取付部材６０が上下方向に貫通する一対の貫通穴を設けられる構造とし、
ねじ部５２がばね部材５１に固着し取付部材６０がねじ部５２にねじこまれる様にしたので、ボルトである取付部材６０をねじると、ねじ部５２が上下方向に移動し、弾性のあるばね部材５１が変形して、上下方向の寸法を縮めると水平方向の寸法が伸び上下方向の寸法を伸ばすと水平方向の寸法が縮む。
【００９４】
本発明の第七の実施形態にかかるルーフドレインの構造により、ルーフドレイン１００を雨水を受けて排水穴Ｐから流すドレイン本体１０とドレイン本体１０の下に配する管状のスペーサ３０と受皿部にかぶせるストレーナ４０と止め部材５０と取付部材６０とで構成し、止め部材５０が一方の端部にねじ部５２が設けられる棒状の構造５５とし、取付部材６０をねじると止め部材５０の他方の端部が鍔状縁部Ｇに引っ掛かる様にしたので、取付部材６０をねじると止め部材５０の他方の端部が鍔状縁部Ｇに引っ掛かかり、ストレーナ４０を固定できる。取付部材６０を反対にねじると、止め部材５０の他方の端部が鍔状縁部Ｇから外れ、ストレーナ４０を外すことをできる。
【００９５】
本発明の第一乃至第七の実施形態にかかるルーフドレインの構造により、ドレイン本体１０を雨水を受けて穴にながす受皿部１１ａをもった上部部材１１と穴Ｏをもった中間部材１２と雨水を穴から排水穴にながす排水管部をもった下部部材１３を順に重ねた構造とし、上部部材の穴を形成する縁が中間部材の穴を形成する縁と下部部材の穴を形成する縁とを挟んで折り込まれて鍔状縁部Ｇを形成する様にしたので、ドレイン本体１０が、上部部材１１と中間部材１２と下部部材１３とが一体となり、スペーサ３０が内側にコンクリートを充填されない空隙Ｈを形成し、簡易で軽量な構造のルーフドレインを製造できる。
【００９６】
本発明の第八の実施形態に係るルーフドレインの構造により、ドレイン本体１０を雨水を受けて穴にながす受皿部11ａをもった上部部材１１と穴Ｏをもった中間部材１２と雨水を穴Ｏから排水穴にながす排水管部をもった下部部材１３を順に重ねた構造とし、上部部材１１の穴Ｏを形成した縁が中間部材１２の穴Ｏを形成した縁と下部部材１３の穴Ｏを形成した縁とを巻き込んで折り込まれる様にし、上部部材覆い９０が上部部材１１の内側を覆う様にしたので、ドレイン本体が、上部部材と中間部材と下部部材との一体構造となり、スペーサが、内側にコンクリートを充填されない空隙を形成し、上部部材１１の内側が汚れるのを防止でき、簡易で軽量な構造のルーフドレインを製造できる。
また、上部部材覆い９０を上部部材１１の受皿部１１ａの側部に設けられたねじ状の凸凹に嵌まり合う様にしたので、上部部材覆い９０をドレイン本体１０に固定でき、また簡単にドレイン本体１０から分離できる。
またストレーナ４０を、上部部材１１の受皿部１１ａの側部に設けられたねじ状の凸凹に嵌まり合う様にしたので、ストレーナ４０をドレイン本体１０に固定でき、また簡単にドレイン本体１０から分離できる。
【００９７】
本発明は以上に述べた実施形態に限られるものではなく、発明の要旨を逸脱しない範囲で各種の変更が可能である。
本発明の実施形態として説明した係合リングを、従来の鋳造製のドレイン本体に組み合わせても良い。例えば、図１８は、発明の第九の実施形態に係るルーフドレインの仮設図である。
本発明の実施形態として説明した止め部材を、従来の鋳造製のドレイン本体に組み合わせても良い。例えば、図１９は、本発明の第十の実施形態に係るルーフドレインの本設図である。
【図面の簡単な説明】
【００９８】
【図１】本発明の第一の実施形態に係るルーフドレインの概念図である。
【図２】本発明の第二の実施形態に係るルーフドレインの概念図である。
【図３】本発明の第一、第二の実施形態に係るルーフドレインの施工図である。
【図４】本発明の第一、第二の実施形態に係るルーフドレインの仮設図である。
【図５】本発明の第一、第二の実施形態に係るルーフドレインのＡ−Ａ断面図である。
【図６】本発明の第一、第二の実施形態に係る排水設備の仮設図である。
【図７】本発明の第一、第二の実施形態に係るルーフドレインの本設図である。
【図８】本発明の第一、第二の実施形態に係る排水設備の本設図である。
【図９】本発明の第三の実施形態に係るルーフドレインの仮設図である。
【図１０】本発明の第三の実施形態に係るルーフドレインのＢ−Ｂ断面図である。
【図１１】本発明の第四の実施形態に係るルーフドレインの仮設図である。
【図１２】本発明の第四の実施形態に係るルーフドレインのＣ−Ｃ断面図である。
【図１３】本発明の第五の実施形態に係るルーフドレインの本設図である。
【図１４】本発明の第六の実施形態に係るルーフドレインの本設図である。
【図１５】本発明の第七の実施形態に係るルーフドレインの本設図である。
【図１６】本発明の第八の実施形態に係るルーフドレインの仮設図である。
【図１７】本発明の第八の実施形態に係るルーフドレインの本設図である。
【図１８】本発明の第九の実施形態に係るルーフドレインの仮設図である。
【図１９】本発明の第十の実施形態に係るルーフドレインの本設図である。
【符号の説明】
【００９９】
１００  ルーフドレイン
２００  床面
２１０  型枠
２２０  排水溝
２３０  本配水管
２４０  竪樋
２５０  下水溝
Ｏ    穴
Ｐ    排水穴
Ｈ    空隙
Ｇ    鍔状縁部
１０    ドレイン本体
１１    上部部材
１１ａ  受皿部
１１ｂ  鍔状部
１２    中間部材
１２ａ  鍔状部
１２ｂ  立ち下げ部
１３    下部部材
１３ａ  排水管部
１３ｂ  鍔状部
２０    係合リング
２１    環状部
２１ａ  鍔状部
２１ｂ  筒状部
２２    突起部
２２ａ  扇状部
２２ｂ  立ち上げ部
３０    スペーサ
４０    ストレーナ
４１    ストレーナ上部
４２    ストレーナ側部
５０    止め部材
５１    ばね部材
５２    ねじ部
６０    取付部材
７０    治具
７１    位置決め板
７２    雄ねじ棒
７３    塞板
７４    ちょうナット
７５    木ねじ
８０    仮排水用配管
８１    配管
８２    付加物
８３    フレキホース
８４    棒状部材
９０    上部部材覆い
【図１】
2008184836.tif 000003
【図２】
2008184836.tif 000004
【図３】
2008184836.tif 000005
【図４】
2008184836.tif 000006
【図５】
2008184836.tif 000007
【図６】
2008184836.tif 000008
【図７】
2008184836.tif 000009
【図８】
2008184836.tif 000010
【図９】
2008184836.tif 000011
【図１０】
2008184836.tif 000012
【図１１】
2008184836.tif 000013
【図１２】
2008184836.tif 000014
【図１３】
2008184836.tif 000015
【図１４】
2008184836.tif 000016
【図１５】
2008184836.tif 000017
【図１６】
2008184836.tif 000018
【図１７】
2008184836.tif 000019
【図１８】
2008184836.tif 000020
【図１９】
2008184836.tif 000021